(57)【要約】【課題】高周波回路に設けられた２つの切替端子の状態を切り替える切替回路の回路規模を縮小することができ、しかも制御系を一元化して簡素化すること。【解決手段】中間周波増幅器２３とＳＡＷフィルタ２５，２７との間に介挿された切替回路によってＳＡＷフィルタ２５，２７の動作モードを切り替える第１及び第２の切替端子の接続状態を切り換える。切替回路は、制御信号入力端に制御信号が入力され、接地端がグランドに接続され、出力端が抵抗５５を介して電源電圧の供給端Ｔ３に接続され、コレクタ−エミッタ間をオン・オフするトランジスタ５７と、ベースがトランジスタ５７の出力端に接続され、自身のおれクタ−エミッタ間をオン・オフするトランジスタ５６とを有する。トランジスタ５６、５７をオン又はオフする一定電圧が、中間周波増幅器２３の出力端から出力され、トランジスタ５６のエミッタが高周波信号出力端Ｔ１に直流的に接続されている。【選択図】図１
2010193351.tif 000002
【特許請求の範囲】
【請求項１】
電源電圧が供給され、高周波信号出力端を有する第１の高周波回路と、
前記高周波信号出力端に接続され、第１及び第２の切替端子を有し、前記第１及び第２の切替端子の接続状態に応じて、第１又は第２の動作モードに切り替わる第２の高周波回路と、
前記第１の高周波回路と第２の高周波回路との間に介挿され、前記第１及び第２の切替端子の接続状態を切り換えるための切替回路と、
前記切替回路に制御信号を印加するための制御回路と、
を備え、
前記切替回路は、
制御信号入力端に前記制御信号が入力され、接地端がグランドに接続され、出力端が抵抗を介して前記電源電圧の供給端に接続され、前記出力端と接地端間をオン・オフする第１のスイッチング素子と、
一端が前記第１のスイッチング素子の出力端に接続され、自身の両端間をオン・オフする第２のスイッチング素子と、
を有し、
前記第１及び第２のスイッチング素子をオン又はオフする一定電圧が、前記高周波信号出力端から出力され、前記第２のスイッチング素子の他端が前記高周波信号出力端に直流的に接続されていることを特徴とする高周波機器。
【請求項２】
前記第１の切替端子が前記第２のスイッチング素子の他端に接続されると共に、
前記第２の切替端子が前記第１のスイッチング素子の出力端に接続され、
前記第１のスイッチング素子がオンした時に、前記第２のスイッチング素子がオフし、
前記第１のスイッチング素子がオフした時に、前記第２のスイッチング素子がオンするように構成したことを特徴とする請求項１記載の高周波機器。
【請求項３】
前記第１の高周波回路の出力段が、前記電源電圧供給端とグランドとの間に直列接続された２個のトランジスタからなり、前記高周波信号出力端が前記２個のトランジスタの接続点に接続されていることを特徴とする請求項１又は請求項２記載の高周波機器。
【請求項４】
前記第２の高周波回路がＳＡＷフィルタ回路であり、
前記ＳＡＷフィルタ回路は、前記第１及び第２の切替端子間が開放され、かつ、前記第２の切替端子が接地された時に第１の帯域特性に設定される第１の動作モードとなり、前記第１及び第２の切替端子間が短絡され、かつ、前記第２の切替端子がグランドに対し開放状態の時に前記第１の帯域特性とは異なる第２の帯域特性に設定される第２の動作モードとなることを特徴とする請求項１〜請求項３のいずれかに記載の高周波機器。
【請求項５】
前記第１の高周波回路及び切替回路が同一の集積回路内に構成されていることを特徴とする請求項１〜請求項４のいずれかに記載の高周波機器。
【発明の詳細な説明】
【技術分野】
【０００１】
本発明は、ＳＡＷフィルタ入力部の端子接続状態を切り替えてバンド切替えを行う高周波機器に関する。
【背景技術】
【０００２】
テレビジョン受像機においては、隣接周波数による妨害を低減するために、チューナから供給される中間周波信号を増幅する中間周波信号増幅回路の後段にＳＡＷ（表面弾性波）フィルタを接続している。地上波デジタル放送及びアナログ放送の双方を受信可能なテレビジョン受像機では、デジタル放送信号に対応したデジタルＳＡＷフィルタとアナログ放送信号に対応したアナログＳＡＷフィルタを備えている。
【０００３】
ところで、日本及び欧州のテレビジョン放送方式に対応したテレビ受信機を設計する場合、各国におけるテレビジョン放送方式に対応させる必要がある。各国におけるテレビジョン放送方式には、ＰＡＬ／Ｂ方式、ＰＡＬ／Ｇ方式、ＰＡＬ／Ｄ方式、ＰＡＬ／Ｋ方式、ＮＴＳＣ／Ｍ方式、ＮＴＳＣ／Ｎ方式、ＳＥＣＡＭ／Ｌ方式等の方式が存在している。特に、フランスで採用されているＳＥＣＡＭ／Ｌ方式は、ＶＨＦローバンドとして扱われる４チャンネルでは、映像信号搬送波と音声信号搬送波との周波数関係が、ＶＨＦローバンドの他チャンネル、ＶＨＦハイバンドのチャンネル、及び、ＵＨＦのチャンネルでのそれと比較して反転しているという特徴がある。
【０００４】
このため、アナログＳＡＷフィルタは映像用ＳＡＷフィルタと音声用ＳＡＷフィルタとを別々に備え、音声用ＳＡＷフィルタはＳＥＣＡＭ／Ｌ方式に対応して帯域を切り替え可能に構成する必要がある。
【０００５】
図６は、上述したアナログ方式及びデジタル方式に対応したテレビジョン受像機の構成図である。図６に示すテレビジョン受像機は、アンテナ１で受信したテレビジョン信号を高周波増幅器２で増幅した後、ＵＨＦ帯の受信信号を通過させるバンドパスフィルタ（ＢＰＦ）３、ＶＨＦ帯の受信信号を通過させる２つのＢＰＦ４，５に振り分ける。各ＢＰＦ３，４，５を通過した受信信号をゲインコントロール増幅器６，７，８で利得制御してからＲＦフィルタ１１，１２，１３を介して各々対応する混合器１４，１５へ入力する。各混合器１４、１５には受信帯域に応じた局部振信号を出力する発振回路１６，１７，１８が接続されている。混合器１４、１５の後段には２つの帯域制限回路２１、２２が切替え可能に接続されている。一方の帯域制限回路２１はデジタル方式に対応した狭帯域の帯域制限を有し、他方の帯域制限回路２２はＰＡＬ方式に対応した広帯域の帯域制限を有する。帯域制限回路２１、２２を通過した信号は中間周波増幅器２３で所定の信号レベルに増幅された後、デジタルＳＡＷフィルタ２５及びアナログＳＡＷフィルタ２７，２８へ入力される。デジタルＳＡＷフィルタ２５の出力段にはゲインコントロール増幅器２９が接続される。
【０００６】
ここで、デジタルＳＡＷフィルタ２５は、ＶＨＦ帯とＵＨＦ帯とで制限帯域を切り替え可能に構成されている。デジタルＳＡＷフィルタ２５に対する帯域切替え指示は切替回路２４によって与えられる。同様に、音声用アナログＳＡＷフィルタ２７はＳＥＣＡＭ／Ｌ方式に対応して帯域を切り替え可能に構成されている。音声用アナログＳＡＷフィルタ２７に対する帯域切替え指示は切替回路２６によって与えられる。デジタルＳＡＷフィルタ２５に対して設けられた切替回路２４は、ホストからバスインターフェース３１に与えられた制御信号が、ＤＣスイッチ３２でＯＮ／ＯＦＦの信号に変換して与えられる。また、音声用アナログＳＡＷフィルタ２７に対して設けられた切替回路２６は、ホストからアナログ復調器３０に設けられたバスインターフェース３３に与えられた制御信号が、同じアナログ復調器３０に設けられたＤＣスイッチ３４でＯＮ／ＯＦＦの信号に変換して与えられる。
【０００７】
図７（ａ）（ｂ）を参照してデジタルＳＡＷフィルタ２５における帯域切替え動作について説明する。デジタルＳＡＷフィルタ２５は、第２端子を接地すると第１の帯域に設定され、第１端子と第２端子とをショートさせると第２の帯域に設定されるように構成されている。切替回路２４は、第２の端子だけを接地するスイッチ２４ｂと、第１の端子と第２の端子とをショートさせるスイッチ２４ａとを備えている。図７（ａ）に示すように、ＤＣスイッチ３２からスイッチ２４ａ，２４ｂに与えるＯＮ／ＯＦＦ信号により、スイッチ２４ｂのみをＯＮすることで第１の帯域に設定され、図７（ｂ）に示すように、スイッチ２４ａのみをＯＮすることで第２の帯域に設定される。音声用アナログＳＡＷフィルタ２７に対して設けた切替回路２６も同様に構成されており、音声用アナログＳＡＷフィルタ２７を第１の帯域と第２の帯域とに設定できるようにしている。
【０００８】
図８は切替回路２４の回路構成図である。デジタルＳＡＷフィルタ２５の第１の端子（１番ピン）に対して中間周波増幅器２３の出力端子が接続され、第１の端子と第２の端子（２番ピン）との間にスイッチング素子としてダイオード４１が接続されている。ダイオード４１のカソードにはバイアス抵抗Ｒ１とＲ２とで分圧した固定バイアスが印加され、アノードにはスイッチ用抵抗Ｒ３を介して所定電圧が印加される。そして、ダイオード４１のアノードをトランジスタ４２のコレクタ−エミッタ間を介してグラウンドに接続している。トランジスタ４２のベースに対してＤＣスイッチ３２から制御信号（ＯＮ／ＯＦＦ）を印加して第１の端子及び第２の端子の接続状態を切り替えている。バイアス抵抗Ｒ１とＲ２とで生成される固定バイアス（例えば、１．６Ｖ）と、中間周波増幅器２３の出力電圧（例えば、２．１Ｖ）との間で電圧差があるので、直流カット用コンデンサＣ１を介して中間周波増幅器２３の出力端子をスイッチングダイオード４１のカソードに接続している。トランジスタ４２がＯＮ（導通）すると、第２の端子がトランジスタ４２のコレクタ−エミッタ間を介して接地されると共に、ダイオード４１がＯＦＦ（非導通）するので第１の端子だけが中間周波増幅器２３の出力端子に高周波的に接続される。また、トランジスタ４２がＯＦＦ（非導通）すると、ダイオード４１がＯＮ（導通）するので第１の端子と第２の端子との間がショートする。
【０００９】
音声用アナログＳＡＷフィルタ２７に対しても、図８に示す切替回路２４と同様に構成された切替回路２６が設けられている。切替回路２６は、アナログ復調器３０に設けたＤＣスイッチ３４から制御信号を受けて音声用アナログＳＡＷフィルタ２７の第１の端子及び第２の端子の接続状態を切り替えている。
【先行技術文献】
【特許文献】
【００１０】
【特許文献１】特開２００８−０２８９７８号公報
【発明の概要】
【発明が解決しようとする課題】
【００１１】
しかしながら、上記した２つの切替回路を含む高周波機器は、図８に示すように切替回路２４、２６の機能を具現化するために多数の構成部品が必要となり回路規模を小型化する上で障害となる。また、デジタルＳＡＷフィルタに対する切替回路と音声用アナログＳＡＷフィルタに対する切替回路とを別々の制御系で制御しているので、制御系が複雑であるといった問題があった。
【００１２】
本発明は、かかる点に鑑みてなされたものであり、切替回路の回路規模を縮小することができると共に、制御系を一元化して簡素化することのできる高周波機器を提供することを目的とする。
【課題を解決するための手段】
【００１３】
本発明の高周波機器は、電源電圧が供給され、高周波信号出力端を有する第１の高周波回路と、前記高周波信号出力端に接続され、第１及び第２の切替端子を有し、前記第１及び第２の切替端子の接続状態に応じて、第１又は第２の動作モードに切り替わる第２の高周波回路と、前記第１の高周波回路と第２の高周波回路との間に介挿され、前記第１及び第２の切替端子の接続状態を切り換えるための切替回路と、前記切替回路に制御信号を印加するための制御回路とを備え、前記切替回路は、制御信号入力端に前記制御信号が入力され、接地端がグランドに接続され、出力端が抵抗を介して前記電源電圧の供給端に接続され、前記出力端と接地端間をオン・オフする第１のスイッチング素子と、一端が前記第１のスイッチング素子の出力端に接続され、自身の両端間をオン・オフする第２のスイッチング素子とを有し、前記第１及び第２のスイッチング素子をオン又はオフする一定電圧が、前記高周波信号出力端から出力され、前記第２のスイッチング素子の他端が前記高周波信号出力端に直流的に接続されていることを特徴とする。
【００１４】
この構成によれば、第１及び第２のスイッチング素子をオン又はオフする一定電圧が、前記高周波信号出力端から出力され、第２のスイッチング素子の他端が高周波信号出力端に直流的に接続されているので、第１の高周波回路の出力回路が第２のスイッチング素子のＤＣバイアス回路を兼用することとなる。したがって、従来回路では中間周波増幅器の出力電圧と固定バイアス回路の抵抗Ｒ１，Ｒ２による固定バイアスとに電位差が生じていたため、第２の高周波回路毎に設けられた専用のＤＣバイアス回路を、統合することができ、スイッチ数の削減を図ることができる。
【００１５】
また本発明は、上記高周波機器において、前記第１の切替端子が前記第２のスイッチング素子の他端に接続されると共に、前記第２の切替端子が前記第１のスイッチング素子の出力端に接続され、前記第１のスイッチング素子がオンした時に、前記第２のスイッチング素子がオフし、前記第１のスイッチング素子がオフした時に、前記第２のスイッチング素子がオンするように構成することを特徴とする。
【００１６】
また本発明は、上記高周波機器において、前記第１の高周波回路の出力段が、前記電源電圧供給端とグランドとの間に直列接続された２個のトランジスタからなり、前記高周波信号出力端が前記２個のトランジスタの接続点に接続されていることを特徴とする。
【００１７】
また本発明は、上記高周波機器において、前記第２の高周波回路がＳＡＷフィルタ回路であり、前記ＳＡＷフィルタ回路は、前記第１及び第２の切替端子間が開放され、かつ、前記第２の切替端子が接地された時に第１の帯域特性に設定される第１の動作モードとなり、前記第１及び第２の切替端子間が短絡され、かつ、前記第２の切替端子がグランドに対し開放状態の時に前記第１の帯域特性とは異なる第２の帯域特性に設定される第２の動作モードとなることを特徴とする。
【００１８】
また本発明は、上記高周波機器において、前記第１の高周波回路及び切替回路が同一の集積回路内に構成されていることを特徴とする。これにより、第１の高周波回路及び切替回路が同一の集積回路内に構成したので、集積回路Ｍの出力端子に第２の高周波回路の切替端子を接続するだけで結線作業を完了でき、従来に比べて大幅な作業工数の削減を図ることができ、半田付け箇所を削減することにより信頼性の向上を図ることができる。
【発明の効果】
【００１９】
本発明によれば、高周波回路に設けられた２つの切替端子の状態（ショート及び接地）を切り替える切替回路の回路規模を縮小することができ、制御系を一元化して簡素化することができる。
【図面の簡単な説明】
【００２０】
【図１】一実施の形態においてデジタルＳＡＷフィルタ及び音声用アナログＳＡＷフィルタのバンド切替えのための回路構成を主に示す回路図
【図２】一実施の形態においてデジタルＳＡＷフィルタ及び音声用アナログＳＡＷフィルタのバンド切替えの動作例を示す図
【図３】（ａ）デジタルＳＡＷフィルタの端子構成及び接地状態を示す図、（ｂ）同図に（ａ）に示す接地状態でのデジタルＳＡＷフィルタの帯域特性を示す図、（ｃ）デジタルＳＡＷフィルタの端子構成及び他の接地状態を示す図、（ｄ）同図に（ｃ）に示す接地状態でのデジタルＳＡＷフィルタの帯域特性を示す図
【図４】（ａ）音声用アナログＳＡＷフィルタの端子構成及び接地状態を示す図、（ｂ）同図（ａ）に示す接地状態での音声用アナログＳＡＷフィルタの帯域特性を示す図、（ｃ）音声用アナログＳＡＷフィルタの端子構成及び他の接地状態を示す図、（ｄ）同図（ｃ）に示す接地状態での音声用アナログＳＡＷフィルタの帯域特性を示す図
【図５】本発明の変形例に係るテレビジョン受信機の中間周波増幅器より後段の構成図
【図６】アナログ方式及びデジタル方式に対応したテレビジョン受像機の構成図
【図７】従来回路におけるデジタルＳＡＷフィルタのバンド切替えの動作例を示す図
【図８】従来回路におけるＳＡＷフィルタ入力部の切替回路の回路構成図
【発明を実施するための形態】
【００２１】
以下、本発明の実施の形態について添付図面を参照して詳細に説明する。
本発明の実施の形態に係るテレビジョン受像機は、デジタルＳＡＷフィルタ及び音声用アナログＳＡＷフィルタのバンド切替えのための回路構成を改良したものである。
【００２２】
図１はデジタルＳＡＷフィルタ及び音声用アナログＳＡＷフィルタのバンド切替えのための回路構成を主に示す図である。なお、本実施の形態に係るテレビジョン受像機は、バンド切替えのための回路構成を除いて、図６に示すテレビジョン受像機と同一構成要素を有しており、同一構成要素には同一符号を付して説明の重複を避ける。
【００２３】
中間周波増幅器２３は、カスコード接続されたトランジスタ５１，５２から主に構成されており、一方のトランジスタ５１のベースにＩＦ信号が入力される。他方のトランジスタ５２のベースには逆相側からＩＦ信号が入力され、トランジスタ５１のドライブ能力を補正する。中間周波増幅器２３はバランス型の増幅器で、一般的に図６に示す回路構成を有し、トランジスタ５１，５２と不図示のトランジスタ６１，６２の２対の出力回路を持ち、ドライブ能力を補正する為のトランジスタ５２、６２のベースにはそれぞれの逆相からＩＦ信号が入力されドライブ能力を補正する。電源側に位置するトランジスタ５１のコレクタはバイアス抵抗５３を介して集積回路ＭＯＰＩＣの電源電圧の供給端となる電源端子Ｔ３に接続されている。また、グラウンド側に位置するトランジスタ５２のエミッタはそのままグラウンドに接続されている。中間周波増幅器２３の出力は一方のトランジスタ５１のエミッタと他方のトランジスタ５２のコレクタとの接続点から取り出されており、当該接続点にバイアス抵抗５４を介して集積回路ＭＯＰＩＣの高周波信号出力端となる出力端子Ｔ１が接続されている。集積回路ＭＯＰＩＣの出力端子Ｔ１は、デジタルＳＡＷフィルタ２５、音声用アナログＳＡＷフィルタ２７及び映像用アナログＳＡＷフィルタ２８の第１の端子（１番ピン）にそれぞれ接続される。また、集積回路ＭＯＰＩＣの出力端子Ｔ２は、デジタルＳＡＷフィルタ２５及び音声用アナログＳＡＷフィルタ２７の第２の端子（２番ピン）にそれぞれ接続される。集積回路ＭＯＰＩＣの電源端子Ｔ３と出力端子Ｔ２との間はバイアス抵抗５５を介して直流的に接続されている。そして、集積回路ＭＯＰＩＣの一方の出力端子Ｔ１と他方の出力端子Ｔ２との間はスイッチング素子として機能するトランジスタ５６を介して接続されている。トランジスタ５６のベースが他方の出力端子Ｔ２に接続され、ベース−コレクタ間が接続されている。また、トランジスタ５６のエミッタは直流的に一方の出力端子Ｔ１に接続されている。これにより、デジタルＳＡＷフィルタ２５及び音声用アナログＳＡＷフィルタ２７の第１の端子と第２の端子との間はトランジスタ５６を介して接続されることになる。また、他方の出力端子Ｔ２（トランジスタ５６のベース）はスイッチング素子として機能するトランジスタ５７のコレクタ−エミッタを介してグラウンドに接続されている。制御信号入力端となるトランジスタ５７のベースにはバンド切替用ポート５８からＯＮ／ＯＦＦのバンド切替信号が入力する。バンド切替用ポート５８は、バスインターフェース３１に与えられる制御信号に応じたＤＣ出力（例えば、５Ｖ又は０Ｖ）が現れるポートである。バンド切替用ポート５８のＤＣ出力がバンド切替信号となる。バンド切替信号は、図６に示すテレビジョン受像機と同様に、ホストからバスインターフェース３１に与えられる制御信号によって制御される。トランジスタ５７がＯＮ（導通）することにより、出力端子Ｔ２（デジタルＳＡＷフィルタ２５及び音声用アナログＳＡＷフィルタ２７の第２の端子）が接地されると共に、トランジスタ５６がＯＦＦ（非導通）となって出力端子Ｔ１，Ｔ２間が非導通となる。
【００２４】
図２（ａ）（ｂ）に本実施の形態におけるデジタルＳＡＷフィルタ２５及び音声用アナログＳＡＷフィルタ２７のバンド切替えの動作例を示す。
【００２５】
図２（ａ）に示す動作例はデジタルＳＡＷフィルタ２５及び音声用アナログＳＡＷフィルタ２７の第２の端子のみを接地した状態を示している。ホストからバスインターフェース３１に対してトランジスタ５７をＯＮする制御信号を与える。バンド切替用ポート５８は、ホストから指示された制御信号に応じたＤＣ出力をバンド切替信号として出力する。ここで、トランジスタ５７のベースにコレクタ−エミッタ間を導通させる５ＶのＤＣ出力をバンド切替信号として出力する。トランジスタ５７がベースに印加されたＤＣ５ＶによってＯＮすることにより、集積回路ＭＯＰＩＣの出力端子Ｔ２が接地され、出力端子Ｔ１、Ｔ２間を接続しているトランジスタ５６がＯＦＦする。この結果、図２（ａ）に示すように、デジタルＳＡＷフィルタ２５及び音声用アナログＳＡＷフィルタ２７の第２の端子のみを接地した状態となる。
【００２６】
図３（ａ）はデジタルＳＡＷフィルタ２５の端子構成を示しており、第２の端子が接地された状態を示している。図３（ｂ）は図３（ａ）に示す接地状態でデジタルＳＡＷフィルタ２５に設定される帯域特性を示しており、本例では７．８０ＭＨｚの通過帯域に設定されている。
【００２７】
図４（ａ）は音声用アナログＳＡＷフィルタ２７の端子構成を示しており、第２の端子が接地された状態を示している。図４（ｂ）は図４（ａ）に示す接地状態で音声用アナログＳＡＷフィルタ２７に設定される帯域特性を示しており、本例では４０．４ＭＨｚを中心周波数とする狭帯域に設定されている。
【００２８】
図２（ｂ）に示す動作例はデジタルＳＡＷフィルタ２５及び音声用アナログＳＡＷフィルタ２７の第１の端子と第２の端子との間をショートした状態を示している。ホストからバスインターフェース３１に対してトランジスタ５７をＯＦＦする制御信号を与える。バンド切替用ポート５８からは当該制御信号を受けてトランジスタ５７のベースにコレクタ−エミッタ間を非導通にする０ＶのＤＣ出力となる。トランジスタ５７がＯＦＦすることにより、集積回路ＭＯＰＩＣの出力端子Ｔ２がグラウンドから切り離されてオープン状態となり、出力端子Ｔ１、Ｔ２間を接続しているトランジスタ５６がバイアス抵抗５５のバイアス電圧によりＯＮする。この結果、図２（ｂ）に示すように、デジタルＳＡＷフィルタ２５及び音声用アナログＳＡＷフィルタ２７の第１の端子と第２の端子との間がショートした状態となる。
【００２９】
図３（ｃ）はデジタルＳＡＷフィルタ２５の端子構成を示しており、第１の端子と第２の端子とがショートした状態を示している。図３（ｄ）は図３（ｃ）に示すショート状態でデジタルＳＡＷフィルタ２５に設定される帯域特性を示しており、本例では６．８０ＭＨｚの通過帯域に設定されている。すなわち、図３（ａ）に示す第２の端子の接地状態によって設定される帯域幅よりも１ＭＨｚだけ帯域幅が狭くなっている。
【００３０】
図４（ｃ）は音声用アナログＳＡＷフィルタ２７の端子構成を示しており、第１の端子と第２の端子とがショートした状態を示している。図４（ｄ）は図４（ｃ）に示すショート状態で音声用アナログＳＡＷフィルタ２７に設定される帯域特性を示しており、本例では３２．４ＭＨｚ〜３３．４ＭＨｚを中心周波数とする狭帯域に設定されている。すなわち、図４（ａ）に示す第２の端子の接地状態によって設定される中心周波数（４０．４ＭＨｚ）から１２〜１３ＭＨｚだけ低域側へ中心周波数がシフトしている。
このようにして、ホストからバスインターフェース３１へ制御信号を与えることで、デジタルＳＡＷフィルタ２５と音声用アナログＳＡＷフィルタ２７の入力部の端子状態を切り替えてバンド切替えを実現することができる。
【００３１】
以上のように本実施の形態によれば、集積回路ＭＯＰＩＣの出力端子Ｔ１に現れる中間周波増幅器２３の出力電圧がトランジスタ５６の基準電位となるので、中間周波増幅器２３の出力回路がトランジスタ５６のＤＣバイアス回路を兼用することとなり、従来必要であったＤＣバイアス回路（図８の直流カットコンデンサＣ１、抵抗Ｒ１、Ｒ２）を削減できる。図６及び図８に示す従来回路では集積回路ＭＯＰＩＣの出力電圧（中間周波増幅器２３の出力電圧）と抵抗Ｒ１，Ｒ２による固定バイアスとに電位差が生じていたため、デジタルＳＡＷフィルタ２５と音声用アナログＳＡＷフィルタ２７にそれぞれ専用のバイアス回路を必要としたが、本実施の形態では中間周波増幅器２３の出力電圧をトランジスタ５６の基準電位とすることで、デジタル／アナログでＲＦスイッチを統合することができ、ＲＦスイッチ数を削減することができる。
【００３２】
また本実施の形態によれば、デジタル／アナログでＲＦスイッチを統合したことにより、デジタルＳＡＷフィルタ２５と音声用アナログＳＡＷフィルタ２７にバンド切替指示を与える制御系を一元化することができ、制御系を簡素化することができる。
【００３３】
また本実施の形態によれば、バンド切替信号を生成するＤＣスイッチを“開放”と“接地”の機能を有する回路構成（トランジスタ５７）に変更したので、ＤＣスイッチとＲＦスイッチの兼用化を図ることができた。
【００３４】
また本実施の形態によれば、部品点数の大幅な削減が可能になったことで、集積回路ＭＯＰＩＣにトランジスタ５６及びバイアス抵抗５５を内蔵することができ、デジタルＳＡＷフィルタ２５及び音声用アナログＳＡＷフィルタ２７のバンド切替えのための回路要素をすべて集積回路ＭＯＰＩＣ内に取り込むことができ、集積回路ＭＯＰＩＣの出力端子Ｔ１，Ｔ２にデジタルＳＡＷフィルタ２５及び音声用アナログＳＡＷフィルタ２７の第１の端子及び第２の端子を接続するだけで集積回路ＭＯＰＩＣとＳＡＷフィルタとの結線作業を完了でき、従来に比べて大幅な作業工数の削減を図ることができ、半田付け箇所を削減することにより信頼性の向上を図ることができる。
【００３５】
また、デジタルＳＡＷフィルタ２５の第１及び第２の端子には直流カットコンデンサＣ１１，Ｃ１２が接続されているが、これもデジタルＳＡＷフィルタ２５のＤＣ耐性によっては問題ないＤＣ範囲であれば、直流カットコンデンサＣ１１，Ｃ１２も削除できる。これにより、集積回路ＭＯＰＩＣの出力端子Ｔ１，Ｔ２にデジタルＳＡＷフィルタ２５及び音声用アナログＳＡＷフィルタ２７の第１の端子及び第２の端子を直接結線するだけの極めて簡単な作業となる。
【００３６】
図５は、本発明の変形例に係るテレビジョン受信機において中間周波増幅器より後段の構成図である。なお、テレビジョン受像機の中間周波増幅器より前段部分の構成は図６に示すテレビジョン受像機と同じ構成である。
【００３７】
集積回路ＭＯＰＩＣの内部に中間周波増幅器をデジタル用（トランジスタ５１，５２、抵抗５３，５４）と、アナログ用（トランジスタ６１，６２、抵抗６３，６４）の２つを併設している。アナログ用の中間周波増幅器の出力電圧は集積回路ＭＯＰＩＣの出力端子Ｔ１１に現れる。また、集積回路ＭＯＰＩＣには、デジタルＳＡＷフィルタ２５の出力段に接続されたゲインコントロール増幅器２９を内蔵している。
【００３８】
また、アナログ復調器６０には音声用アナログＳＡＷフィルタ２７の入力部のバンド切替用のＲＦスイッチとしてトランジスタ６５が内蔵されている。トランジスタ６５のコレクタはアナログ復調器６０のＤＣ電源端子Ｔ２１に接続され、トランジスタ６５のエミッタはグラウンド端子Ｔ２２に接続されている。
【００３９】
デジタルＳＡＷフィルタ２５の第１の端子と第２の端子との間にはダイオードからなるスイッチ７１が接続されている。スイッチ７１のアノードはバイアス抵抗５５を介してバイアス電圧が印加されると共に、トランジスタ５７のコレクタ−エミッタを介してグラウンドに接続可能に構成される。
【００４０】
また、音声用アナログＳＡＷフィルタ２７の第１の端子と第２の端子との間にはダイオードからなるスイッチ７２が接続されている。スイッチ７２のアノードは、アナログ復調器６０内に設けられたバイアス抵抗７３によりバイアス電圧が印加されると共に、アナログ復調器６０内に設けられたトランジスタ６５のコレクタ−エミッタを介してグラウンドに接続可能に構成されている。
【００４１】
以上のように構成された本変形例では、デジタルＳＡＷフィルタ２５の出力信号が入力される集積回路ＭＯＰＩＣ内部に“接地”と“開放”の機能を持つスイッチ回路（トランジスタ５７）を配置することで、デジタルＳＡＷフィルタ２５の入力部のスイッチ回路（スイッチ７１）のグラウンドと集積回路ＭＯＰＩＣのグラウンドとを共通化でき、最適な配置を行うことで、デジタルＳＡＷフィルタ２５がもつ本来の特性を引き出すことができる。
【００４２】
また、デジタルＳＡＷフィルタ２５の入力部のスイッチ回路（トランジスタ５７）をゲインコントロール増幅器２９が内蔵される集積回路ＭＯＰＩＣ側に配置することで、デジタルＳＡＷフィルタ２５の接地部とゲインコントロール増幅器２９の接地部を共通化でき、アナログＳＡＷフィルタ２７、２８側からの影響を受けることなく、デジタルＳＡＷフィルタ２５が持つ、本来の伝送特性を引き出すことが可能になる。
【００４３】
また、音声用アナログＳＡＷフィルタ２７の入力部のスイッチ回路（トランジスタ６５）をアナログ復調器６０側に配置することで、音声用アナログＳＡＷフィルタ２７の接地部とアナログ復調器６０の接地部を共通化でき、デジタルＳＡＷフィルタ２５側からの影響を受けることなく、音声用アナログＳＡＷフィルタ２７が持つ、本来の伝送特性を引き出すことが可能になる。
【００４４】
本発明は上述した実施の形態に限定されるものではない。たとえば、以上の説明ではテレビジョン受信機のシステムを前提に説明したが、高周波機器において第１の端子と第２の端子の接続状態を切り替える用途であれば、同様に適用可能である。
【産業上の利用可能性】
【００４５】
本発明は、中間周波回路においてＳＡＷフィルタ入力部の端子接続状態を切り替えてバンド切替えを行うテレビジョン受像機適用可能である。
【符号の説明】
【００４６】
１  アンテナ
２  高周波増幅器
３，４，５  バンドパスフィルタ（ＢＰＦ）
６，７，８  ゲインコントロール増幅器
１１，１２，１３  ＲＦフィルタ
１４，１５  混合器
１６，１７，１８  発振回路
２１，２２  帯域制限回路
２３  中間周波増幅器
２４，２６  切替回路
２５  デジタルＳＡＷフィルタ
２７  音声用アナログＳＡＷフィルタ
２８  映像用アナログＳＡＷフィルタ
２９  ゲインコントロール増幅器
３０  アナログ復調器
３１、３３  バスインターフェース
５１，５２，６１，６２  トランジスタ（中間周波増幅器）
５３，５４，５５  バイアス抵抗
５６，５７  トランジスタ（バンド切替用スイッチ）
５８  ＤＣスイッチ用ポート
Ｔ１，Ｔ２，Ｔ１１  出力端子
Ｔ３，Ｔ２１  電源端子
【図１】
2010193351.tif 000003
【図２】
2010193351.tif 000004
【図３】
2010193351.tif 000005
【図４】
2010193351.tif 000006
【図５】
2010193351.tif 000007
【図６】
2010193351.tif 000008
【図７】
2010193351.tif 000009
【図８】
2010193351.tif 000010